(57)【特許請求の範囲】
【請求項１】
入力映像信号を処理する映像処理部と、
前記映像処理部により出力される処理後映像信号を表示する映像表示部と、
前記映像表示部における表示画素間の輝度較差を補正する補正値をｎ（ｎは正の整数）個記憶する記憶部と、
前記映像表示部の輝度較差を前記映像処理部から出力される処理後映像信号により補正する較差補正部と、
前記較差補正部に設定する補正値を可変にするためのユーザインタフェースを備え、前記記憶部から前記ｎ個の補正値を取得し、前記ｎ個の補正値から、前記ユーザインタフェースを介して入力され取得されるｍ個の補正レベル情報（但し、ｍ＞ｎ）に従う補正値を算出して前記較差補正部へ出力して前記較差補正部を制御する主制御部と、
を備えたことを特徴とする映像表示装置。
【請求項２】
前記主制御部は、
前記ユーザインタフェースを介して入力される補正レベル情報を取得し、前記映像表示部の標準的な輝度分布に近似させた理想輝度分布特性から理想輝度較差分布特性を算出し、前記理想輝度較差分布特性から、ある点における１００％輝度較差補正値と前記映像表示部の表示画面中における１００％輝度較差補正値との相関から、前記取得した補正レベル情報に対応する最適化された補正値を算出して前記較差補正部へ出力することを特徴とする請求項１に記載の映像表示装置。
【請求項３】
前記主制御部は、
前記理想輝度分布特性を、使用する映像表示部毎に算出することを特徴とする請求項２に記載の映像表示装置。
【請求項４】
前記主制御部は、
更に、前記映像表示部の輝度較差の変化が大きい画素を抽出して平滑化するためのフィルタ演算を行うことを特徴とする請求項２または３のいずれか１項に記載の映像表示装置。
【請求項５】
前記ユーザインタフェースは、入力される前記較差の許容範囲を取込み、
前記主制御部による制御の下で前記記憶部から前記補正値を取得し、前記ユーザインタフェースを介して取得される較差許容範囲で補正値を前記取得した補正値から算出する較差補正演算処理部と、
を備えたことを特徴とする請求項１から４のいずれか１項に記載の映像表示装置。
【請求項６】
前記ユーザインタフェースは、
輝度もしくは色素、あるいは前記輝度と色素とに関する情報を前記較差許容範囲として取込み、前記主制御部へ出力することを特徴とする請求項５に記載の映像表示装置。
【請求項７】
制御装置が、記憶装置から表示デバイスの表示画素間の輝度較差を補正するｎ（ｎは正の整数）個の補正値を取得し、前記表示デバイスが個別に持つ輝度較差を補正する映像表示装置における輝度較差補正方法であって、
前記制御装置は、
ユーザインタフェースを介して入力されるｍ個の補正レベル情報（但し、ｍ＞ｎ）を取得するステップと、
前記記憶装置からｎ個の補正値を取得し、前記ｎ個の補正値から、前記ユーザインタフェースを介して入力され取得されるｍ個の補正レベル情報に従う補正値を算出するステップと、
前記算出された補正値に基づき前記表示デバイスが個別に持つ輝度較差を補正するステップと、
を有することを特徴とする映像表示装置における輝度較差補正方法。
【請求項８】
前記制御装置は、
ユーザインタフェースを介して入力される輝度較差補正レベル情報を取得するステップと、
前記表示デバイスの標準的な輝度分布に近似させた理想輝度分布特性から理想輝度較差分布特性を算出するステップと、
前記理想輝度較差分布特性から、ある点における１００％輝度較差補正値と前記表示デ
バイスの表示画面中における１００％輝度較差補正値との相関から、前記取得した輝度較
差補正レベルに対応する最適化された輝度較差補正値を算出するステップと、
前記算出された輝度較差補正値に基づき前記表示デバイスが個別に持つ輝度較差を補正するステップと、
を有することを特徴とする請求項７に記載の輝度較差補正方法。
【発明の詳細な説明】
【技術分野】
【０００１】
本発明は、表示デバイスが持つ輝度ムラや色度ムラ（以下、単に、輝度較差という）を補正することのできる、映像表示装置および輝度較差補正方法に関する。
【背景技術】
【０００２】
図８は、表示デバイスの輝度較差を補正することができる従来の映像表示装置の構成例を示すブロック図である。また、図９は、表示デバイスにおける水平方向（水平平面）の輝度分布を模式的に示した図である。
図８に示されるように、従来の映像表示装置は、映像処理部８０１と、較差補正部８０２と、主制御部８０３と、記憶部８０４と、映像表示部８０５とにより構成される。
【０００３】
上記構成において、入力映像信号は映像処理部８０１で処理され、ここで生成される処理後映像信号は較差補正部８０２へ出力される。また、記憶部８０４には、映像表示部８０５が個別に持つ輝度較差の特性を補正する補正値があらかじめ記憶されており、主制御部８０３は、記憶部８０４から補正値を読み出して較差補正部８０２を制御する。そして、較差補正部８０２は、映像表示部８０５が個別に持つ輝度較差がなくなるように入力された処理後映像信号を補正し、輝度較差補正後に生成される較差補正後映像信号を映像表示部８０５へ出力する。このことにより、輝度較差のない映像が映像表示部８０５に表示されることになる。
【０００４】
上記した従来技術における輝度較差の補正は、輝度の明るい箇所を暗い箇所に合わせることで実現しており、１００％輝度較差のない状態に補正するため、輝度較差補正後には表示画面の輝度が大きく低下する。
このため、図９に、補正レベル１００％として示したように、表示デバイスの表示画面全体を輝度較差のない状態にするのではなく、輝度較差を補正する際の目標輝度値を一個に設定し、設定された輝度値より輝度が高い場合にのみ目標輝度値に下げる方法が知られている（例えば、特許文献１参照）。例えば、目標輝度値を補正レベル１０％で示す輝度値に設定すれば、１００％較差補正時に低下する輝度の１０％の輝度低下で抑えることができる。
【特許文献１】特開２００５−１９６０８７号公報（「０００６」〜「０００８」、図１）
【発明の開示】
【発明が解決しようとする課題】
【０００５】
しかしながら、上記した特許文献１に開示された技術によれば、輝度較差の変化は、中央部分から周辺部分に向けて徐々に輝度較差が補正されていく動きとなり、補正がかかった部分は輝度較差がなく、逆に、補正がかかっていない部分は輝度較差がそのまま残ってしまうことになる。
また、補正レベル９０％のように１００％に近い較差補正を行った場合、周辺以外が補正された箇所は完全に輝度較差が無い状態になるが、補正箇所と無補正箇所との境界線上は輝度の傾きが大きいため、元々は存在しない線上の輝度較差が目立つことになる。更に、輝度目標値を一つにしているため、実際のユーザの嗜好にあわせて輝度較差の程度、および輝度低下の程度を変えることが出来ないといった新たな問題が発生することになる。
【０００６】
本発明は上記事情に基づいてなされたものであり、大きな輝度の低下を招くことなく、ユーザの嗜好にあわせて輝度較差を補正することができる、映像表示装置および輝度較差補正方法を提供することを目的とする。
【課題を解決するための手段】
【０００７】
上記した課題を解決するために本発明の映像表示装置は、入力映像信号を処理する映像処理部と、前記映像処理部により出力される処理後映像信号を表示する映像表示部と、前記映像表示部における表示画素間の輝度較差を補正する補正値が記憶される記憶回路と、前記映像表示部の輝度較差を前記映像処理部から出力される処理後映像信号により補正する較差補正部と、前記較差補正部に設定する補正値を可変にするためのユーザインタフェースを備え、前記ユーザインタフェースを介して入力され取得される補正レベル情報に従い、前記記憶部から該当の補正値を取得して前記較差補正部を制御する主制御部と、を備えたことを特徴とする。
【０００８】
また、本発明において、前記記憶部は、前記ユーザインタフェースを介して入力され取得される補正レベル情報のそれぞれに相当する前記映像表示部の補正値を記憶してなることを特徴とする。
【０００９】
また、本発明において、前記記憶部は唯１個の補正値を記憶してなり、前記主制御部は、前記記憶部から補正値を取得し、前記ユーザインタフェースを介して取得される補正レベル情報に従う複数の較差補正値を算出して前記較差補正部に出力することを特徴とする。
【００１０】
また、本発明において、前記記憶部は、前記補正値をｎ（ｎは正の整数）個記憶してなり、前記主制御部は、前記ｎ個の補正値から、前記ユーザインタフェースを介して入力され取得されるｍ個の補正レベル情報（但し、ｍ＞ｎ）に従う補正値を算出して前記較差補正部へ出力することを特徴とする。
【００１１】
また、本発明において、前記主制御部は、前記ユーザインタフェースを介して入力される補正レベル情報を取得し、前記映像表示部の標準的な輝度分布に近似させた理想輝度分布特性から理想輝度較差分布特性を算出し、前記理想輝度較差分布特性から、ある点における１００％輝度較差補正値と前記映像表示部の表示画面中における１００％輝度較差補正値との相関から、前記取得した補正レベル情報に対応する補正値を算出して前記較差補正部へ出力することを特徴とする。
【００１２】
また、本発明において、前記主制御部は、前記理想輝度分布特性を、使用する映像表示部毎に算出することを特徴とする。
【００１３】
また、本発明において、前記主制御部は、更に、前記映像表示部の輝度較差の変化が大きい画素を抽出して平滑化するためのフィルタ演算を行うことを特徴とする。
【００１４】
また、本発明の映像表示装置は、入力映像信号を処理する映像処理部と、前記映像処理部により出力される処理後映像信号を表示する映像表示部と、前記映像表示部における表示画素間の較差を補正する補正値が記憶される記憶部と、前記映像表示部の較差を前記映像処理部から出力される処理後映像信号により補正する較差補正部と、入力される前記較差の許容範囲を取込むユーザインタフェース部と、前記ユーザインタフェース部を介して取込まれる較差許容範囲に基づき前記記憶部から該当の補正値を取得して較差補正演算処理部へ出力する主制御部と、前記主制御部による制御の下で前記記憶部から前記補正値を取得し、前記ユーザインタフェース部を介して取得される較差許容範囲で前記補正値を算出する較差補正演算処理部と、を備えたことを特徴とする。
【００１５】
また、本発明において、前記ユーザインタフェース部は、輝度もしくは色素、あるいは前記輝度と色素に関する情報を前記較差許容範囲として取込み、前記主制御部へ出力することを特徴とする。
【００１６】
また、本発明は、制御装置が、記憶装置から表示デバイスの表示画素間の輝度較差を補正する補正データを取得し、前記表示デバイスが個別に持つ輝度較差を補正する映像表示装置における輝度較差補正方法であって、前記制御装置は、ユーザインタフェースを介して入力される輝度較差補正レベル情報を取得するステップと、前記表示デバイスの標準的な輝度分布に近似させた理想輝度分布特性から理想輝度較差分布特性を算出するステップと、前記理想輝度較差分布特性から、ある点における１００％輝度較差補正値と前記表示デバイスの表示画面中における１００％輝度較差補正値との相関から、前記取得した輝度較差補正レベルに対応する輝度較差補正値を算出するステップと、前記算出された輝度較差補正値に基づき前記表示デバイスが個別に持つ輝度較差を補正するステップと、を有することを特徴とする。
【発明の効果】
【００１７】
本発明によれば、ユーザインタフェースを介して入力され取得される補正レベル情報に従い補正値を取得して輝度較差の補正を行うことにより、大きな輝度の低下を招くことなくユーザの嗜好にあわせて輝度較差を補正することができる。
【発明を実施するための最良の形態】
【００１８】
（実施の形態１）
図１は、本発明の実施の形態１にかかわる映像表示装置の内部構成を示すブロック図である。
本発明の実施の形態１にかかわる映像表示装置は、入力映像信号を処理する映像処理部１０１と、映像処理部１０１により出力される処理後映像信号を表示する映像表示部１０５と、映像表示部１０５における表示画素間の輝度較差を補正する補正値が記憶される記憶回路１０４と、映像表示部１０５の輝度較差を映像処理部１０１から出力される処理後映像信号により補正する較差補正部１０２と、較差補正部１０２に設定する補正値を可変にするためのユーザインタフェースを備え、ユーザインタフェースを介して入力され取得される補正レベル情報に従い、記憶部１０４から補正値を取得して較差補正部１０２を制御する主制御部１０３とで構成される。
【００１９】
図２は、図１に示す映像表示装置のある水平面上の輝度分布を模式的に示した図であり、完全に輝度較差を補正した状態（１００％）、輝度較差を１０％、および９０％に補正したときの輝度分布が表現されている。
また、図３は、輝度較差を補正する際に１００％完全に補正せずに、段階的に補正値を算出する際の処理の流れを示すフローチャートであり、本発明の輝度較差補正方法を実現するうえでの手順もあわせて示している。
【００２０】
以下、図２、図３を参照しながら、図１に示す本発明の実施の形態１にかかわる映像表示装置の動作について詳細に説明する。
【００２１】
まず、入力映像信号が映像処理部１０１に供給される。映像処理部１０１は、入力映像信号を処理して映像表示部１０５が持つ表示デバイスに表示できる信号形態に変換して較差補正部１０２へ出力する。一方、主制御部１０３は、映像表示部１０５が個別に持つ輝度較差の特性を補正する補正値を記憶部１０４から読出す。
ところで、記憶部１０４に記憶されている補正値は、完全に輝度較差が無くなるような１００％補正値だけではなく、後述する補正レベル情報毎に最適化された補正値が記憶されているものとする。例えば、ユーザにより、オンスクリーンメニューや他のインターフェースを介して補正レベル情報が入力されたとき、主制御部１０３は、その補正レベル情報に応じた補正値を記憶部１０４から読出して較差補正部１０２を制御し、映像表示部１０５の輝度較差を最適に補正する。
【００２２】
図２は、上記したようにある１つの水平方向における無補正時の輝度分布を示す図であり、輝度較差のある状態を示している。また、この輝度較差に対して、後述する補正値算出方法により補正した例として、１０％、９０％、１００％補正をかけた場合の輝度分布もあわせて示している。
ここでは、表示デバイスが元々持つ輝度較差特性を考慮に入れ、補正レベル情報を上げていくのに従って表示デバイスの画面全体の輝度較差が滑らかに変化しながら無くなっていくように見える輝度較差補正方法を提供する。この方法によれば、較差補正レベルが任意の段階において表示画面上の極端な輝度較差が見えることが無いように補正することができる。
【００２３】
以下、図３に示すフローチャートを参照しながら、最適化された補正値を求めるための手順について説明する。
主制御部１０３は、まず、ユーザが提供されるユーザインタフェースを用いて設定入力する補正レベル情報（％）を取得する（ステップＳ３０１：較差補正レベル設定（％を入力）。続いて、主制御部１０３は、記憶部１０４から１００％較差補正値を取得する（ステップＳ３０２）。このとき、主制御部１０３は、無補正時の理想輝度較差分布特性を取得する（ステップＳＴ３０３）。
ここで、上記した理想輝度較差分布特性について説明する。本発明は、最適化された補正値を算出するために理想輝度較差分布という概念を取り入れたことに特徴がある。理想輝度較差分布特性とは、例えば、図４（ａ）に示す曲面であり、表示デバイスの標準的な輝度較差特性と近似させている。特徴として、周辺部分が最も暗く、中央部分が最も明るい。また、水平方向、垂直方向共に画面中央を頂点として対称になっている。
【００２４】
主制御部１０３は、予め、図４（ｂ）に示す、無補正時の表示デバイスの理想輝度分布特性（理想輝度分布正規化データ）を取得しておき、理想輝度較差分布特性（％）を算出しておく。図４（ｂ）では、理想輝度分布正規化データを１４×１１のマトリックスを用いて表現しているが、これは一例であり、ｍ×ｎ（ｍ、ｎは１でない自然数）であれば良い。また、図４（ａ）は、図４（ｂ）に示す無修正時の理想輝度分布正規化データをグラフ化したものである。
続いて、主制御部１０３は、ステップＳ３０２で取得した、表示デバイスの水平平面のある点における１００％較差補正値から輝度値を求め、１画面中の１００％格差補正値の最大値を取得する（ステップＳ３０４）。ここで、求められる輝度値をＡ、最大値をＭＡＸとする。
【００２５】
ここで、１００％輝度較差補正値と実際の表示デバイスの輝度較差との相関について説明する。輝度較差補正値が下がると輝度が下がる向きに補正し、輝度較差補正値が上がると輝度が上がる向きに補正する場合を考える。例えば、ある点の１００％輝度較差補正値を−１０、他の点における１００％輝度較差補正値を−５とする。このとき、それぞれの輝度較差補正値を設定すると、輝度較差がなくなるということは、輝度較差補正値−１０の点は輝度が高く、輝度較差補正値−５の点は輝度が低いといえる。この相関から、理想輝度較差分布特性を利用して理想輝度較差補正値を求めることができる。
このことにより、ユーザにより設定入力される補正レベル情報に対応する補正目標値Ｂを以下の演算式（１）を用いて算出する（ステップＳ３０５）。
補正目標値（Ｂ）＝ＭＡＸ×理想較差補正値分布特性（％）×（１００−補正レベル）（％）    …（１）
【００２６】
続いて、主制御部１０３は、ステップＳ３０２で記憶部１０４から読出した１００％較差補正値Ａと補正目標値Ｂとを比較し（ステップＳ３０６）、比較の結果、Ａの方が大きい場合は、Ｂ−Ａの値を最適化された補正値とする（ステップＳ３０７）。また、Ｂの方が大きい場合は補正値を０とする（ステップＳ３０８）。
そして、１画面分、上記したステップＳ３０４〜Ｓ３０８に示す補正値最適化処理を実行したか否かを判定して終了する（Ｓ３０９）。
【００２７】
上記した本発明の第１の実施形態によれば、補正レベルを０％から１００％まで変化させていった場合における輝度較差変化は、表示画面の全領域にわたって滑らかになり、人間の目に対してあまり目立たなくなる。また、表示画面のどこに輝度較差があっても多少の輝度較差であれば比較的早くに無くすことが出来る。また、表示デバイスが元々持っている、「中心が明るく周囲が暗い」という特性を保ちながら１００％補正に向かって補正動作が行われるため、１００％補正でなくとも違和感が無く、輝度較差を補正することが可能になる。
【００２８】
一方、上記した輝度較差補正後においても、近い位置において輝度差が大きい場合は、輝度較差として目立つことがある。例えば、図５（ａ）に示すように、極端な輝度較差がある場合、本発明の実施の形態１による輝度較差補正方法によれば、補正レベル１０％の場合、図５（ｂ）のようになる。これは、輝度較差補正後でも近い位置での輝度変化が大きいため、目に見える輝度較差が残ることを意味する。
このような場合、主制御部１０３がその輝度変化が滑らか（実線部分）になるようなフィルタ処理を実行すれば、図５（ｃ）に示すように輝度較差を目立たなくすることが可能となる。例えば、図５（ｂ）に示す状態で、輝度較差補正ありと輝度較差補正無しの部分が該当する箇所であると考えても良いし、輝度較差補正後の輝度値を輝度較差補正値から算出して、該当箇所を探すことも可能である。その際、境界を基準にある距離を持った範囲で、フィルタ処理を行えば良い。フィルタ処理は、その領域において輝度が一番低下している所箇所を基準に、人の目で判断しづらい輝度変化で維持するような傾きで変化するようにすれば良い。
【００２９】
以上説明のように本発明の実施の形態１によれば、輝度を大きく低減することなく、輝度較差を可能な限り低くすることが可能になる。
また、輝度較差が残っている状態でも、人間の目に対して目立たないような輝度較差にすることが可能になる。
なお、上記した本発明の実施の形態１によれば、水平方向の輝度較差補正についてのみ説明したが、垂直方向においても同様に輝度格差の補正が行えることは自明である。また、上記した本発明の実施の形態１によれば、輝度較差の補正についてのみ説明したが、色度較差についても同様の補正が可能である。この色度格差につき、上記したように輝度較差の程度を変えながら、色度較差が常に無くなるような補正処理をしても良く、また、輝度較差同様、段階的に色度較差補正処理を行っても良いことは自明である。
【００３０】
また、本発明の実施の形態１によれば、理想輝度分布特性を予め取得しておく説明をしたが、個体（表示デバイス）別に測定した輝度分布を元に、輝度変化が滑らかになるようにフィルタ処理をして理想輝度分布特性を求めもことも可能である。また、理想輝度分布特性は、中央部がピークであり、左右、上下対称としても良い。
また、全ての補正レベル情報毎の補正値は、予め記憶部１０４に記憶してあるものとして説明したが、１００％補正値のみを記憶部１０４に記憶しておき、補正レベル情報毎に補正値を設定する際に、主制御部１０３が、入力される補正レベル情報毎の補正値を算出して較差補正部１０２へ設定するように制御することも可能である。このことにより、記憶部１０４の記憶容量を大幅に削減することが可能となる。
【００３１】
また、１００％補正値のみから補正レベル情報毎の輝度較差補正値を算出するのではなく、ｎ個の補正値からｍ個の補正レベル情報（但し、ｎ＜ｍ）に相当する補正値を算出することも可能である。このことにより、記憶部１０４の容量を大幅に削減しながら高い精度で輝度較差を調整することが可能である。
【００３２】
（実施の形態２．）
上記した本発明の実施の形態１では、表示デバイスの輝度較差を補正する際に、完全に補正する他に、見た目で段階的に補正する方法について説明した。ここでは、見た目で判断して補正レベル情報を設定入力する方法に代わり、数値での設定入力を可能とする映像表示装置および輝度較差補正方法について説明する。
【００３３】
図６は、本発明の第２の実施の形態にかかわる映像表示装置の内部構成を示すブロック図である。
本発明の第２の実施の形態にかかわる映像表示装置は、入力映像信号を処理する映像処理部６０１と、映像処理部６０１により出力される処理後映像信号を表示する映像表示部６０５と、映像表示部６０５における表示画素間の較差を補正する補正値が記憶される記憶部６０４と、映像表示部６０５の較差を映像処理部６０１から出力される処理後映像信号により補正する較差補正部６０２と、入力される較差の許容範囲を取込むユーザインタフェース部６０６と、ユーザインタフェース部６０６を介して取込まれる較差許容範囲に基づき記憶部６０４から該当の補正値を取得して較差補正演算処理部６０７へ出力する主制御部６０３と、主制御部６０３による制御の下で記憶部６０４から補正値を取得し、ユーザインタフェース部６０６を介して取得される較差許容範囲で補正値を算出する較差補正演算処理部６０７とで構成される。
【００３４】
図７は、ユーザインタフェース部６０６により提供されるオンスクリーンメニューの画面構成の一例を示す図である。
ここでは、色度許容範囲と輝度許容範囲が設定される例が示されている。なお、色度許容範囲のみ、あるいは輝度許容範囲のみが設定されても良い。
【００３５】
以下、図６、図７を参照しながら本発明の第２の実施形態にかかわる映像表示装置の動作について説明する。
【００３６】
ユーザは、まず、図７に示すオンスクリーンメニューに従い、色度ｘ、色度ｙ、輝度Ｙの許容範囲を説定する。このことにより、ユーザインタフェース部６０６は、設定された許容範囲（色度許容範囲ｘ＝±０．００１、ｙ＝±０．００１、輝度許容範囲Ｙ＝±１０ｃｄ）を取込み、主制御部６０３へ出力する。
続いて、ユーザインタフェース部６０３から許容範囲データを受信した主制御部６０３は、記憶部６０４に予め記憶されてある上記許容範囲に含まれる較差補正値と、映像表示部６０５の色度ｘ、色度ｙ、輝度Ｙの較差、およびＲ、Ｇ、Ｂの各単位画素補正値辺りの輝度、色度の変化ととともに較差補正演算処理部６０７へ出力する。
【００３７】
較差補正演算処理部６０７は、上記した各パラメータ入力を元に最適な補正値を算出して主制御部６０３へ出力し、主制御部６０３は、較差補正部６０２を制御することで、ユーザが所望のユニフォミティを維持しながら最大輝度で表示することを実現する。
なお、許容範囲に含まれる補正値の算出方法は、本発明の実施の形態１で説明した図３のフローチャートに従う。
【００３８】
以上説明のように本発明の実施の形態２によれば、表示画面の輝度較差を補正する際に、見た目で判断するのではなく、数値による較差補正が可能になる。また、このことにより、映像表示装置の数値による輝度較差の管理が可能となる。
なお、本発明の実施の形態２によれば、ユーザインタフェースとして、オンスクリーンメニューを提供する例を用いて説明したが、オンスクリーンメニューに制限されず、外部から通信手段により取得しても良く、また、予め記憶部６０４に記憶しておいても良い。また、本発明の実施の形態２の説明によれば、色度ｘ、色度ｙ、輝度Ｙの許容範囲設定でのみ説明したが、他の色座標空間で代替しても同様の効果が得られることは自明である。さらに、映像表示部６０５の色度ｘ、色度ｙ、輝度Ｙの較差を記憶部６０４に記憶していなくても、Ｒ、Ｇ、Ｂの各単位画素補正値辺りの輝度、色度の変化が判れば、１００％補正時の各Ｒ、Ｇ、Ｂの補正値より無補正時の映像表示部６０５の色度ｘ、色度ｙ、輝度Ｙの較差を算出することが可能であることは自明である。
【００３９】
以上説明のように本発明によれば、実際の輝度較差の補正具合や輝度減少の程度を視認しながら所望の輝度補正を行うことができる。その際には、輝度減少よりも表示デバイス上での輝度較差、色度較差の減少を最優先で行うような処理を実行することにより、早い段階で凹凸の較差補正を実現可能である。
また、輝度較差、色度較差の程度をユーザが入力するインターフェースを備え、それに応じた最適値を制御装置（主制御部１０３、６０３）が算出することにより、ユーザ指定の条件に応じて輝度較差を補正しながら輝度の減少を最小限に抑えることが可能になる。つまり、各種ユニフォミティの規格に適合しながらも輝度減少を最小限に抑えることが出来る。
【図面の簡単な説明】
【００４０】
【図１】本発明の実施の形態１にかかわる映像表示装置の内部構成を示すブロック図である。
【図２】本発明の実施の形態１による映像表示装置の輝度分布を模式的に示した図である。
【図３】本発明の実施の形態１にかかわる映像表示装置による輝度較差補正値を求めるアルゴリズムを示すフローチャートである。
【図４】本発明の実施の形態１において使用される理想輝度分布の一例を示す図である。
【図５】本発明の実施の形態１にかかわる映像表示装置の輝度分布を模式的に示した図である。
【図６】本発明の実施の形態１にかかわる映像表示装置の内部構成を示すブロック図である。
【図７】本発明の実施の形態２で使用されるオンスクリーンメニューの画面構成の一例を示す図である。
【図８】従来の映像表示装置の内部構成を示すブロック図である。
【図９】従来の映像表示装置による輝度分布を模式的に示した図である。
【符号の説明】
【００４１】
１０１…映像処理部、１０２…較差補正部、１０３…主制御部、１０４…記憶部、１０５…映像表示部、６０６…ユーザインタフェース部、６０７…較差補正演算処理部
【図１】
0004810249.tif 000002
【図２】
0004810249.tif 000003
【図３】
0004810249.tif 000004
【図４】
0004810249.tif 000005
【図５】
0004810249.tif 000006
【図６】
0004810249.tif 000007
【図７】
0004810249.tif 000008
【図８】
0004810249.tif 000009
【図９】
0004810249.tif 000010